(57)【要約】【課題】ユーザーが所望する記録用紙に所望の印刷画像がレイアウトされたプリントアウトを得ることができる画像形成装置を提供する。【解決手段】本発明は、外部機器から入力された入力データまたは原稿読み取り機構で読み取られた入力データを表示する入力データプレビューウインドウ５１０と、出力用紙サイズの選択を行う出力用紙サイズ選択ウインドウ５４０と、出力応用設定の選択を行う出力応用設定選択ウインドウ５５０と、該出力用紙サイズ選択ウインドウ５４０で選択された出力用紙サイズ及び該出力応用設定選択ウインドウ５５０で選択された出力応用設定を基に決定される出力形態を表示する出力形態プレビューウインドウ５３０と、入力データの調整を行う入力データ調整ウインドウ５２０と、該入力データ調整ウインドウ５２０で調整された入力データと該出力形態を表示する出力結果プレビューウインドウ５６０と、を表示する操作パネル部を具備することを特徴とする画像形成装置である。【選択図】図２
2008182496.tif 000002
【特許請求の範囲】
【請求項１】
入力データを表示する入力データプレビューウインドウと、
出力用紙サイズの選択に関する設定と、出力に関する応用設定と、を基に決定される出力形態を表示する出力形態プレビューウインドウと、
前記入力データプレビューウインドウの入力データの表示を前記出力形態に合うように調整させた上で、出力形態プレビューウインドウ上の出力形態の表示と関連付けさせ、その結果を表示する出力結果プレビューウインドウと、
を表示する操作パネル部を具備することを特徴とする画像形成装置。
【請求項２】
前記出力形態プレビューウインドウにおける出力用紙サイズの選択に関する設定は、出力用紙サイズの選択を行う出力用紙サイズ選択ウインドウにより行われることを特徴とする請求項１に記載の画像形成装置。
【請求項３】
前記出力形態プレビューウインドウにおける出力に関する応用設定は、出力応用設定の選択を行う出力応用設定選択ウインドウにより行われることを特徴とする請求項１又は請求項２に記載の画像形成装置。
【請求項４】
前記入力データプレビューウインドウの入力データの表示を前記出力形態に合うように調整する設定は、予め用意された入力データ調整ウインドウにより行うことを特徴とする請求項１乃至請求項３のいずれかに記載の画像形成装置。
【請求項５】
該出力結果プレビューウインドウにおける表示は、該入力データプレビューウインドウで表示される入力データを該出力形態プレビューウインドウにドラッグアンドドロップすることにより行われることを特徴とする請求項１乃至請求項４のいずれかに記載の画像形成装置。
【請求項６】
該外部機器から入力された入力データは、パーソナルコンピュータから送信されたデータ、画像形成装置自身が受信したＦＡＸ文書データ、画像形成装置と直接接続された外部記憶装置から送信されたデータのいずれかであることを特徴とする請求項１乃至請求項５のいずれかに記載の画像形成装置。
【請求項７】
該出力応用設定においては、Ｎｉｎ１、ページ連写、ポスター印刷のいずれかを行うか否かの設定と、両面印刷を行うか否かの設定と、とじしろ位置及びとじしろ幅の設定ができることを特徴とする請求項１乃至請求項６のいずれかに記載の画像形成装置。
【請求項８】
該入力データ調整ウインドウにおける調整は、該入力データの倍率の変更及び回転角の変更であることを特徴とする請求項１乃至請求項７のいずれかに画像形成装置。
【請求項９】
該出力結果プレビューウインドウにおいて、該入力データ調整ウインドウで調整された入力データが、該出力形態に収まらないとき、印刷を行うかどうかをユーザーに警告表示することを特徴とする請求項１乃至請求項８のいずれかに記載の画像形成装置。
【請求項１０】
選択された出力用紙サイズ及び選択された出力応用設定に基づいて決定される出力形態プレビュー画面に、外部機器から入力された入力データまたは原稿読み取り機構で読み取られた入力データを倍率変更又は回転角変更して表示し、印刷出力結果を仮想的に確認する画像形成装置における設定方法。
【発明の詳細な説明】
【技術分野】
【０００１】
本発明は、入力されたデータを予め操作パネルなどの表示装置にプレビュー表示してから実際に印刷を実行する画像形成装置、及びそのような画像形成装置における設定方法に関する。
【背景技術】
【０００２】
スキャナ及びプリンタを備えたデジタル複合機（以下、単に複合機という）と呼ばれる画像形成装置がある。このような複合機は、スキャナが画像を取り込むスキャナ機能、プリンタが印刷を行う印刷機能、及びスキャナが読み取った画像をプリンタが印刷するコピー機能、ＦＡＸ部がＦＡＸ文書を送受信するＦＡＸ機能などを備えている。また、このような複合機の他に、単なるコピー機能を有する複写機などの画像形成装置も広く用いられている。
【０００３】
以上のような画像形成装置においては、外部機器から入力された画像データやスキャナ機構で読み取られた画像データを表示してから、印刷を実行するプレビュー機能を有するものが知られている。例えば、特許文献１（特開２００４−２８２４３９号公報）には、読み取った原稿または仮想の原稿をプレビュー画面内にプレビュー画像として表示するとともに、タッチパネル或いはマウスを使用してプレビュー画像上で画像の簡易編集と後処理の設定をプレビュー画像に反映しながら行い、プレビュー画面に表示されたように印刷或いは後処理を行うことが可能な画像形成装置が開示されている。
【特許文献１】特開２００４−２８２４３９号公報
【発明の開示】
【発明が解決しようとする課題】
【０００４】
特許文献１に記載の画像形成装置は、プレビュー画面内のプレビュー画像を簡易編集したり、後処理設定したりすることができるが、プレビュー画像が出力用紙に印刷されたときにどのように印刷されるのかを設定することができる構成とはなっていない。一般的に、画像形成装置には、通常種々のサイズ・方向の記録用紙がセットされており、ユーザーは記録用紙のサイズ・方向を適宜選択して、印刷を実行する。ところが、特許文献１に記載の画像形成装置では、実記録用紙のサイズ・方向とプレビュー画像とをどのように対応させるのかについての設定を行うことはできず、ユーザーは実際の印刷結果をみるまで記録用紙にどのように印刷画像がレイアウトされるのかが分からない、という問題がある。
【課題を解決するための手段】
【０００５】
本発明は、上記のような問題に対処するために、請求項１に係る発明は、入力データを表示する入力データプレビューウインドウと、出力用紙サイズの選択に関する設定と、出力に関する応用設定と、を基に決定される出力形態を表示する出力形態プレビューウインドウと、前記入力データプレビューウインドウの入力データの表示を前記出力形態に合うように調整させた上で、出力形態プレビューウインドウ上の出力形態の表示と関連付けさせ、その結果を表示する出力結果プレビューウインドウと、を表示する操作パネル部を具備することを特徴とする画像形成装置である。
【０００６】
また、請求項２に係る発明は、請求項１に記載の画像形成装置であって、前記出力形態プレビューウインドウにおける出力用紙サイズの選択に関する設定は、出力用紙サイズの選択を行う出力用紙サイズ選択ウインドウにより行われることを特徴とする。
【０００７】
また、請求項３に係る発明は、請求項１又は請求項２に記載の画像形成装置であって、前記出力形態プレビューウインドウにおける出力に関する応用設定は、出力応用設定の選択を行う出力応用設定選択ウインドウにより行われることを特徴とする。
【０００８】
また、請求項４に係る発明は、請求項１乃至請求項３のいずれかに記載の画像形成装置であって、前記入力データプレビューウインドウの入力データの表示を前記出力形態に合うように調整する設定は、予め用意された入力データ調整ウインドウにより行うことを特徴とする。
【０００９】
また、請求項５に係る発明は、請求項１乃至請求項４のいずれかに記載の画像形成装置であって、該出力結果プレビューウインドウにおける表示は、該入力データプレビューウインドウで表示される入力データを該出力形態プレビューウインドウにドラッグアンドドロップすることにより行われることを特徴とする。
【００１０】
また、請求項６に係る発明は、請求項１乃至請求項５のいずれかに記載の画像形成装置であって、該外部機器から入力された入力データは、パーソナルコンピュータら送信されたデータ、画像形成装置自身が受信したＦＡＸ文書データ、画像形成装置と直接接続された外部記憶装置から送信されたデータのいずれかであることを特徴とする。
【００１１】
また、請求項７に係る発明は、請求項１乃至請求項６のいずれかに記載の画像形成装置であって、該出力応用設定においては、Ｎｉｎ１、ページ連写、ポスター印刷のいずれかを行うか否かの設定と、両面印刷を行うか否かの設定と、とじしろ位置及びとじしろ幅の設定ができることを特徴とする。
【００１２】
また、請求項８に係る発明は、請求項１乃至請求項７のいずれかに画像形成装置であって、該入力データ調整ウインドウにおける調整は、該入力データの倍率の変更及び回転角の変更であることを特徴とする。
【００１３】
また、請求項９に係る発明は、請求項１乃至請求項８のいずれかに記載の画像形成装置であって、該出力結果プレビューウインドウにおいて、該入力データ調整ウインドウで調整された入力データが、該出力形態に収まらないとき、印刷を行うかどうかをユーザーに警告表示することを特徴とする。
【００１４】
また、請求項１０に係る発明は、選択された出力用紙サイズ及び選択された出力応用設定に基づいて決定される出力形態プレビュー画面に、外部機器から入力された入力データまたは原稿読み取り機構で読み取られた入力データを倍率変更又は回転角変更して表示し、印刷出力結果を仮想的に確認する画像形成装置における設定方法である。
【００１５】
本発明の画像形成装置及び画像形成装置における設定方法によれば、入力データ調整ウインドウで調整された入力データと出力形態を表示する出力結果プレビューウインドウによって、実記録用紙のサイズ・方向と対象印刷画像のプレビューを確認することが可能となるので、ユーザーは所望の記録用紙に所望の印刷画像がレイアウトされたプリントアウトを得ることができる。
【発明を実施するための最良の形態】
【００１６】
以下、本発明の実施の形態を図面を参照しつつ説明する。本実施形態においては画像形成装置として複合機を例にとり説明するが、本発明は複合機に限らず複写機単体としての画像形成装置やファクシミリ専用機などの画像形成装置にも適用可能なものである。
【００１７】
図１は本発明の実施の形態に係る画像形成装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はＦＡＸ文書の送受信を行うＦＡＸ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。
【００１８】
図１に示される画像形成装置周辺のシステムでは、クライアントなどのパーソナルコンピュータ２００、２００’、２００’’と複合機１００とが、ネットワーク１０を介して接続される構成となっている。また、複合機１００のＦＡＸ部１２０が電話回線２０と、ＵＳＢ  Ｉ／Ｆ１７０が、携帯電話やデジタルカメラなどの外部機器３００と接続されるような構成とされている。
【００１９】
複合機１００は、情報処理装置からなる複合機本体の主制御を行う制御部１１０と、ユーザーの入力操作を受け付ける入出力装置である操作パネル部１５０と、原稿・画像をスキャンして読み込むスキャナ部１４０と、印刷用紙等に印刷を行うプリンタ部１３０と、ＦＡＸ送受信を行うＦＡＸ部１２０とを備える。つまり、複合機１００は、スキャナ機能、印刷機能、スキャナ機能と印刷機能を組み合わせたコピー機能及びＦＡＸ送受信機能を備えるものである。
【００２０】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００２１】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機に１００には、スキャナ部１４０に自動的に連続的に原稿を送致する構成であるＡＤＦ（Ａｕｔｏｍａｔｉｃ  Ｄｏｃｕｍｅｎｔ  Ｆｅｅｄｅｒ）を設けるようにしておいてもよい。
【００２２】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ＦＡＸ部１２０から電話回線を通じて送信したり（複合機１００のＦＡＸ機能）、ネットワークＩ／Ｆ１６０、ネットワーク１０を介して、パーソナルコンピュータ２００、２００’、２００’’に向けて送信したり（複合機１００のスキャナ機能）する。
【００２３】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやＦＡＸ部２１０で受信されたＦＡＸデータや、パーソナルコンピュータ２００、２００’、２００’’のアプリケーションソフトウエアからのデータや外部機器３００からの画像データなどを紙出力するものである。
【００２４】
ＦＡＸ部１２０は、電話回線２０と接続されていて、ＦＡＸの送受信を行うＦＡＸ送受信部（不図示）と、ＦＡＸ送受信部が送信するための送信データを一時記憶する送信バッファ及びＦＡＸ送受信部が受信した受信データを一時記憶する受信バッファを構成するためのＦＡＸ部メモリを備えている。
【００２５】
ＦＡＸ部１２０は、スキャナ部１４０が読み取った画像データを制御部１１０から受信すると、一旦ＦＡＸ部メモリ１２１に蓄積して、ＦＡＸ送信する。送信が完了すると、ＦＡＸ部１２０は、ＦＡＸ部メモリ１２１に蓄積されている送信済みデータを消去する。
【００２６】
また、ＦＡＸ部１２０は、電話回線２０からＦＡＸ送信されてきたデータを受信すると、その受信データを一旦格納する。そして、格納された受信データは、制御部１１０へ送られて、プリンタ部１３０で印刷される。ＦＡＸ部１２０は、複合機１００内の他の構成とは独立にＦＡＸ送受信を行う。つまり、ＦＡＸ部１２０は、複合機１００から送信データを受け付けると、複合機１００とは独立にＦＡＸ送信を行うし、電話回線２０からＦＡＸデータが送信されてくれば、それを受信する。
【００２７】
複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００２８】
操作パネル部１５０のハードウエアは、操作に係わる表示を行うＬＣＤからなる表示部と、指などによる押圧で入力が行えるタッチパネル部とから概略構成される。これらの表示部とタッチパネル部とは重ねて構成されており、ユーザーは表示部の表示を参照しつつ、指でタッチパネル部を操作することで複合機１００の各種設定を行うことができるようになっている。タッチパネル部による入力機構、表示部による表示機構の具体的な構成については、例えば特許文献１に記載された周知の技術を用いることができる。この操作パネル部１５０で行うことができるのは、複合機１００のＦＡＸ機能、プリンタ機能、コピー機能といった各種機能の選択、読み取った画像のプレビュー表示、読み取った画像の加工過程の画像のプレビュー表示などである。
【００２９】
本発明は、以上のように構成される複合機１００などの画像形成装置の操作パネル部１５０のプレビュー表示及びプレビュー表示での画像データ加工工程に係るものである。図２は、本発明の実施の形態に係る画像形成装置（複合機）の操作パネル５００における表示例を示す図である。図２において、５００は操作パネル、５１０は入力データプレビューウインドウ、５１１は入力データファイル名表示部、５１２は入力データ表示部、５１３は入力データロケーション表示選択部、５１４は入力データ頁選択ボタン、５２０は入力データ調整ウインドウ、５２１は倍率表示選択部、５２２は回転角表示選択部、５３０は出力形態プレビューウインドウ、５３１は出力形態プレビュー部、５４０は出力用紙サイズ選択ウインドウ、５５０は出力応用設定選択ウインドウ、５６０は出力結果プレビューウインドウ、５６１は印刷実行ボタンをそれぞれ示している。
【００３０】
操作パネル５００のハードウエアは、操作に係わる表示を行うＬＣＤからなる表示部と、指などによる押圧で入力が行えるタッチパネル部とから概略構成されており、操作パネル５００における表示は、概略、入力データプレビューウインドウ５１０、入力データ調整ウインドウ５２０、出力形態プレビューウインドウ５３０、出力用紙サイズ選択ウインドウ５４０、出力応用設定選択ウインドウ５５０、出力結果プレビューウインドウ５６０の計６つのウインドウ表示からなっている。
【００３１】
入力データプレビューウインドウ５１０は、ユーザーがプリンタ部１３０でプリントアウトしようとする入力データに係る情報及び入力データ自体を未加工状態でそのまま表示するウインドウである。プリンタ部１３０でプリントアウトしようとする入力データには、ＦＡＸ部１２０で受信したＦＡＸ文書データ、スキャナ部１４０で原稿読み取りしたデータ、パーソナルコンピュータ２００、２００’、２００’’から複合機１００に送信されてきたデータ、デジタルカメラなどの外部機器３００から送信されるデータなどがある。
【００３２】
入力データプレビューウインドウ５１０における入力データファイル名表示部５１１は、入力データのファイル名を表示する箇所であり、入力データ表示部５１２は、入力データ自体のサムネイル表示を行う箇所である。また、入力データロケーション表示選択部５１３は、入力データが存在する情報機器（或いは、情報機器が接続されるポート）を示したり、図示する「参照」ボタンを指でタッチすることによって入力データが存在する情報機器を変更したりすることができる。また、入力データ頁選択ボタン５１４は、「前の頁」ボタンと「次の頁」ボタンとからなり、それぞれのボタンを指でタッチすることによって、入力データ表示部５１２に表示させるサムネイルを、前の頁のものとしたり、次の頁のものとしたりすることができる。
【００３３】
入力データプレビューウインドウ５１０における入力データの表示は、入力データ自体を未加工状態でそのまま表示するものであるが、入力データ調整ウインドウ５２０では、その未加工状態の入力データにどのような加工を施すかを決定することができる。入力データ調整ウインドウ５２０は、倍率表示選択部５２１と回転角表示選択部５２２とから構成されており、倍率表示選択部５２１では入力データの倍率の変更を、また、回転角表示選択部５２２では入力データの回転角の変更を行う。入力データの倍率変更、回転角変更処理は画像形成装置の分野では公知の技術であり、本発明における入力データの倍率変更、回転角変更などの具体的な処理については公知の技術を用いることができる。
【００３４】
倍率表示選択部５２１は、図示するように、倍率を表示する箇所、「縮小」ボタン、「等倍」ボタン、「拡大」ボタンから構成される。倍率を表示する箇所には入力データの倍率が表示され、「縮小」ボタン、「等倍」ボタン、「拡大」ボタンを指でタッチすることにより、入力データの縮小化、等倍化、拡大化を行うことができる。また、回転角表示選択部５２２は、回転角を表示する箇所、「−」ボタン、「０度」ボタン、「＋」ボタンから構成される。回転角を表示する箇所には入力データの回転角が表示され、「１」ボタン、「０度」ボタン、「＋」ボタンを指でタッチすることにより、入力データの回転角を変更することができる。なお、入力データの時計回りの回転を正の回転角、反時計回りの回転を負の回転角として定義する。
【００３５】
出力用紙サイズ選択ウインドウ５４０は、プリンタ部１３０でプリントアウトに用いる給紙装置を選択するウインドウである。給紙装置のハードウエアや、複数の給紙装置から一つの給紙装置を選択する機構等については公知の技術を用いることができる。通常、このような給紙装置には、種々のサイズ・方向の用紙がセットされて用いられる。例えば、図示の出力用紙サイズ選択ウインドウ５４０の例では、給紙装置１にはＡ４縦の用紙がセットされ、給紙装置２にはＡ３横の用紙がセットされ、給紙装置３にはＢ５縦の用紙がセットされ、給紙装置４にはＢ４横の用紙がセットされている状態を示している。また、図示の出力用紙サイズ選択ウインドウ５４０の例では、Ａ４縦の用紙がセットされた給紙装置１が選択されている。出力用紙サイズ選択ウインドウ５４０における給紙装置の選択は、例えば、給紙装置１などの左横に示されたチェックボックス付近を指でタッチすることによって行う。また、選択された給紙装置のチェックボックス表示にはチェックマークが表示される。
【００３６】
出力形態プレビューウインドウ５３０は、出力用紙サイズ選択ウインドウ５４０で選択されている給紙装置１にセットされた出力用紙のサイズ及び方向が表示されてるウインドウであり、図示の例においては、給紙装置１にセットされたＡ４縦の用紙が表示されている。
【００３７】
出力応用設定選択ウインドウ５５０は、応用プリント設定を行う場合に用いるウインドウであり、応用プリント設定を行いたい時にユーザーは「両面印刷」、「２ｉｎ１」、「ページ連写」、「ポスター印刷」、「とじしろ位置」、「とじしろ幅ｍｍ」と表示された箇所の左側のチェックボックス付近を指でタッチすることによって応用設定の選択を行う。選択された応用設定のチェックボックス表示にはチェックマークが表示される。応用プリントとして「両面印刷」、「２ｉｎ１」、「ページ連写」、「ポスター印刷」、「とじしろ位置」、「とじしろ幅ｍｍ」などはいずれも周知のプリント方法を採用することができる。上記のような応用プリントのうち「２ｉｎ１」プリントについては、さらに「４ｉｎ１」、「８ｉｎ１」などの「Ｎｉｎ１」プリントなどがあり得る。また画像形成装置においては、「Ｎｉｎ１」、「ページ連写」、「ポスター印刷」のいずれかを行うか否かの設定と、「両面印刷」を行うか否かの設定と、「とじしろ位置」、「とじしろ幅ｍｍ」の設定とはそれぞれ並列的に設定可能である。このような応用プリント設定が不要で、通常のプリントを行いたい場合には、出力応用設定選択ウインドウ５５０のいずれのチェックボックス表示にもチェックマークを表示させないようにする。このようにするためには、例えば、出力応用設定選択ウインドウ５５０内の応用設定項目が表示されていない部分（何も表示されていない余白部）を指でタッチする。図２の出力応用設定選択ウインドウ５５０は、出力応用設定選択ウインドウ５５０のいずれのチェックボックス表示にもチェックマークは表示されていないので、通常プリントが設定されている状態が示されるものである。
【００３８】
出力応用設定選択ウインドウ５５０で設定される出力応用設定（通常プリントも含む）は、出力形態プレビューウインドウ５３０の表示にも反映される。すなわち、出力形態プレビューウインドウ５３０は、出力用紙サイズ選択ウインドウ５４０で選択された給紙装置（出力用紙サイズ）と、出力応用設定選択ウインドウ５５０で選択された出力応用設定（通常プリントも含む）を基に決定される出力形態が出力形態プレビュー部５３１に表示されるプレビューウインドウとなっている。
【００３９】
出力結果プレビューウインドウ５６０は、入力データ調整ウインドウ５２０で調整された入力データと出力形態プレビューウインドウ５３０で表示される出力形態とが合成（５６１）されて表示されるウインドウであり、出力結果プレビューウインドウ５６０で表示されている状態が実際にプリンタ部１３０でのプリントアウトとなる。
【００４０】
次に、以上のように構成される操作パネル５００におけるユーザー操作について説明する。図３乃至図５は、本発明の実施の形態に係る画像形成装置（複合機）の操作パネル５００におけるユーザー操作を説明する図である。
【００４１】
図２に示すファイル名：ｓａｍｐｌｅ１．ｊｐｅｇを印刷するためのユーザー操作について説明する。ファイル名：ｓａｍｐｌｅ１．ｊｐｅｇの入力データが複合機１００で受信されると、初期状態において操作パネル５００の表示は図２に示すようなものとる。ここで、ユーザーは、図３に示すように、入力データプレビューウインドウ５１０の入力データ表示部５１２付近を指でタッチして、指を操作パネル５００に接触させたまま、出力形態プレビューウインドウ５３０の出力形態プレビュー部５３１付近で指を離すような動作（以下、このような動作を「ドラッグアンドドロップ」などという）を行うように促される。ユーザーによるこのようなドラッグアンドドロップ操作が、複合機１００によって認識されると、操作パネル５００の出力結果プレビューウインドウ５６０では、未加工状態の入力データ（ｓａｍｐｌｅ１．ｊｐｅｇ）と、出力形態プレビューウインドウ５３０で表示される出力形態（Ａ４縦サイズの枠）とを合成した表示を行う。図３の出力結果プレビューウインドウ５６０における表示では、出力形態であるＡ４縦サイズの枠から入力データ（ｓａｍｐｌｅ１．ｊｐｅｇ）がはみ出した状態であるので、このままプリンタ部１３０でプリントアウトを実行しても、入力データが用紙に収まらない状態で印刷されることとなる。
【００４２】
ユーザーは、このような出力結果プレビューウインドウ５６０における表示結果を参照しつつ、入力データ調整ウインドウ５２０において、入力データの倍率・回転角の調整を行うこととなる。図４は、入力データ調整ウインドウ５２０において、回転角を−９０度に設定したことに伴い、出力結果プレビューウインドウ５６０での入力データ（ｓａｍｐｌｅ１．ｊｐｅｇ）の表示が−９０度に回転することを示している。さらに、図５は、入力データ調整ウインドウ５２０において、倍率を７６％に設定したことに伴い、出力結果プレビューウインドウ５６０での入力データ（ｓａｍｐｌｅ１．ｊｐｅｇ）の表示が７６％に縮小されたことを示している。以上のような入力データの倍率・回転角の調整によれば、出力形態であるＡ４縦サイズの枠から入力データ（ｓａｍｐｌｅ１．ｊｐｅｇ）がはみ出すことがなくなる。ユーザーは、このように出力結果プレビューウインドウ５６０における表示結果を参照しつつ、入力データ調整ウインドウ５２０で入力データの調整を行い、印刷実行ボタン５６１を指でタッチしてプリントアウトを実行し、プリンタ部１３０から画像の欠落のないプリントアウトを得ることができる。
【００４３】
以上、本発明の画像形成装置及び画像形成装置における設定方法によれば、入力データ調整ウインドウで調整された入力データと出力形態を表示する出力結果プレビューウインドウによって、実記録用紙のサイズ・方向と対象印刷画像のプレビューを確認することが可能となるので、ユーザーは所望の記録用紙に所望の印刷画像がレイアウトされたプリントアウトを得ることができるのである。
【００４４】
次に、操作パネル５００の別のユーザー操作事例について説明する。図６乃至図１１は、本発明の実施の形態に係る画像形成装置（複合機）の操作パネル５００におけるユーザー操作を説明する図である。図６乃至図１１では、ファイル名：ｓａｍｐｌｅ２．ｊｐｅｇ乃至ｓａｍｐｌｅ５．ｊｐｅｇを１枚のＡ３横置きの用紙にプリントアウトする場合のユーザー操作について説明する。
【００４５】
ファイル名：ｓａｍｐｌｅ２．ｊｐｅｇの入力データが複合機１００で受信されると、初期状態において操作パネル５００の表示は図６に示すようなものとる。この例では、出力用紙サイズ選択ウインドウ５４０において、Ａ３横がセットされた給紙装置２が選択されており、出力形態プレビューウインドウ５３０、及び、出力結果プレビューウインドウ５６０には、Ａ３横サイズの枠が表示される。
【００４６】
次に、ユーザーによって、出力応用設定選択ウインドウ５５０中の「両面印刷」が選択されると、出力形態プレビューウインドウ５３０、及び、出力結果プレビューウインドウ５６０は、図７に示すような状態となる。すなわち、本発明の画像形成装置及び画像形成装置における設定方法によれば、出力用紙サイズ選択ウインドウ５４０で選択された出力用紙サイズ（給紙装置）及び出力応用設定選択ウインドウ５５０で選択された出力応用設定を基に出力形態プレビューウインドウ５３０での出力形態（図示するような枠表示）の表示方法が決定される。また、出力形態プレビューウインドウ５３０の出力形態は、出力結果プレビューウインドウ５６０にも反映されるようになっている。
【００４７】
図８は、ユーザーによって、出力応用設定選択ウインドウ５５０において「２ｉｎ１」が選択された状態を示している。図示するように、本発明においては、出力用紙サイズ選択ウインドウ５４０と出力応用設定選択ウインドウ５５０で選択された出力応用設定（「両面印刷」、「２ｉｎ１」）とに併せて、出力形態プレビューウインドウ５３０の出力形態表示と、出力結果プレビューウインドウ５６０の出力形態表示とが変更される。
【００４８】
次にユーザーが、図９に示すように、入力データプレビューウインドウ５１０の入力データ表示部５１２から、出力形態プレビューウインドウ５３０に入力データ（ｓａｍｐｌｅ２．ｊｐｅｇ）をドラッグアンドドロップすると、出力結果プレビューウインドウ５６０では、未加工状態の入力データ（ｓａｍｐｌｅ２．ｊｐｅｇ）が、出力形態のＡ３横サイズ、表面、左ページ部分に表示される。
【００４９】
ユーザーは、このような出力結果プレビューウインドウ５６０における表示結果を参照しつつ、入力データ調整ウインドウ５２０において、入力データの倍率・回転角の調整を行うこととなる。図１０は、入力データ調整ウインドウ５２０において、倍率を７６％に、回転角を９０度に設定した状態を示している。このような入力データ調整ウインドウ５２０での調整に伴い、出力結果プレビューウインドウ５６０の出力形態のＡ３横サイズ、表面、左ページ部分の表示は図示するようなものとなり、出力形態の枠から入力データ（ｓａｍｐｌｅ２．ｊｐｅｇ）がはみ出すことがなくなる。ユーザーはｓａｍｐｌｅ３．ｊｐｅｇ乃至ｓａｍｐｌｅ５．ｊｐｅｇの入力データについても、以上と同様の操作を行うことによって、図１１に示すような出力結果プレビューウインドウ５６０表示を得ることができる。ユーザーは、このように出力結果プレビューウインドウ５６０における表示結果を参照しつつ、入力データ調整ウインドウ５２０で入力データの調整を行い、印刷実行ボタン５６１を指でタッチしてプリントアウトを実行し、プリンタ部１３０から両面印刷かつ２ｉｎ１の応用プリント設定がされた欠落のない画像出力を得ることができる。
【００５０】
以上、本発明の画像形成装置及び画像形成装置における設定方法によれば、入力データ調整ウインドウで調整された入力データと出力形態を表示する出力結果プレビューウインドウによって、実記録用紙のサイズ・方向と対象印刷画像のプレビューを確認することが可能となるので、ユーザーは所望の記録用紙に所望の印刷画像がレイアウトされたプリントアウトを得ることができるのである。
【００５１】
次に、本発明におけるユーザーへのワーニング表示について説明する。図１２は、本発明の実施の形態に係る画像形成装置（複合機）の操作パネル５００における表示例を示す図である。図１２に示すように、出力結果プレビューウインドウ５６０における表示結果において、出力形態（Ａ４縦サイズの枠）から入力データ（ｓａｍｐｌｅ１．ｊｐｅｇ）がはみ出しているような状態で、ユーザーが印刷実行ボタン５６１を指でタッチするような場合には、制御部１１０はプリンタ部１３０で欠落のない印刷ができないことを判断して、図１２に示すような「画像が切れますが、処理を続行しますか。」というような警告表示ウインドウ６００を操作パネル５００に表示する。このような警告表示ウインドウ６００によれば、ユーザーが所望しない無駄な印刷出力を防止することができる。
【００５２】
次に、本発明における他の実施の形態について説明する。図１３は、本発明の他の実施の形態に係る画像形成装置（複合機）の操作パネル５００における表示例を示す図である。本発明の他の実施の形態に係る画像形成装置（複合機）の入力データ調整ウインドウ５２０には、自動レイアウトモードが備えられており、このような自動レイアウトモードが選択されているときは、出力形態に併せて入力データの自動調整（倍率変更調整、回転角変更調整）が行われる。このような自動調整技術は画像形成装置の分野においては周知であり、本発明においても周知の自動調整技術を用い得る。自動レイアウトモードとするためには、自動レイアウトと表示される左のチェックボックスを指でタッチしてチェックボックス内にチェックマークを出現させる。
【００５３】
自動レイアウトモードが設定されている場合、図１３に示すファイル名：ｓａｍｐｌｅ１．ｊｐｅｇを印刷するためにユーザーが、この入力データプレビューウインドウ５１０から入力データを出力形態プレビューウインドウ５３０にドラッグアンドドロップすると、入力データの倍率変更調整、回転角変更調整は自動的に行われる。その結果、出力結果プレビューウインドウ５６０での入力データ（ｓａｍｐｌｅ１．ｊｐｅｇ）の表示は、回転角−９０度に回転され、かつ、７６％に縮小される。ユーザーは、このように出力結果プレビューウインドウ５６０における表示結果を確認して、印刷実行ボタン５６１を指でタッチしてプリントアウトを実行し、プリンタ部１３０から画像の欠落のないプリントアウトを得ることができる。
【００５４】
以上、他の実施形態の画像形成装置及び画像形成装置における設定方法によっても、ユーザーは所望の記録用紙に所望の印刷画像がレイアウトされたプリントアウトを得ることができるのである。
【図面の簡単な説明】
【００５５】
【図１】本発明の実施の形態に係る画像形成装置（複合機）及びその周辺のシステム構成を示す図である。
【図２】本発明の実施の形態に係る画像形成装置（複合機）の操作パネル５００における表示例を示す図である。
【図３】本発明の実施の形態に係る画像形成装置（複合機）の操作パネル５００におけるユーザー操作を説明する図である。
【図４】本発明の実施の形態に係る画像形成装置（複合機）の操作パネル５００におけるユーザー操作を説明する図である。
【図５】本発明の実施の形態に係る画像形成装置（複合機）の操作パネル５００におけるユーザー操作を説明する図である。
【図６】本発明の実施の形態に係る画像形成装置（複合機）の操作パネル５００におけるユーザー操作を説明する図である。
【図７】本発明の実施の形態に係る画像形成装置（複合機）の操作パネル５００におけるユーザー操作を説明する図である。
【図８】本発明の実施の形態に係る画像形成装置（複合機）の操作パネル５００におけるユーザー操作を説明する図である。
【図９】本発明の実施の形態に係る画像形成装置（複合機）の操作パネル５００におけるユーザー操作を説明する図である。
【図１０】本発明の実施の形態に係る画像形成装置（複合機）の操作パネル５００におけるユーザー操作を説明する図である。
【図１１】本発明の実施の形態に係る画像形成装置（複合機）の操作パネル５００におけるユーザー操作を説明する図である。
【図１２】本発明の実施の形態に係る画像形成装置（複合機）の操作パネル５００における表示例を示す図である。
【図１３】本発明の他の実施の形態に係る画像形成装置（複合機）の操作パネル５００における表示例を示す図である。
【符号の説明】
【００５６】
１０・・・ネットワーク、２０・・・電話回線、１００・・・複合機、１１０・・・制御部、１２０・・・ＦＡＸ部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器、５００・・・操作パネル、５１０・・・入力データプレビューウインドウ、５１１・・・入力データファイル名表示部、５１２・・・入力データ表示部、５１３・・・入力データロケーション表示選択部、５１４・・・入力データ頁選択ボタン、５２０・・・入力データ調整ウインドウ、５２１・・・倍率表示選択部、５２２・・・回転角表示選択部、５３０・・・出力形態プレビューウインドウ、５３１・・・出力形態プレビュー部、５４０・・・出力用紙サイズ選択ウインドウ、５５０・・・出力応用設定選択ウインドウ、５６０・・・出力結果プレビューウインドウ、５６１・・・印刷実行ボタン、６００・・・警告表示ウインドウ
【図１】
2008182496.tif 000003
【図２】
2008182496.tif 000004
【図３】
2008182496.tif 000005
【図４】
2008182496.tif 000006
【図５】
2008182496.tif 000007
【図６】
2008182496.tif 000008
【図７】
2008182496.tif 000009
【図８】
2008182496.tif 000010
【図９】
2008182496.tif 000011
【図１０】
2008182496.tif 000012
【図１１】
2008182496.tif 000013
【図１２】
2008182496.tif 000014
【図１３】
2008182496.tif 000015